(57)【要約】【課題】取り付けが簡単でしかも安価な逆流防止機能付き排水装置を提供する。【解決手段】排水を流入させる入口側連結部１２、入口側連結部１２からの流入した排水を排出する排水側連結部１４、及び入口側連結部１２と排水側連結部１４の間にエルボ部１６を有し、入口側連結部１２を上方に向けて配設されるエルボ管１０と、エルボ管１０の内部に配置される軟質のボール５０と、入口側連結部１２に設けられ、入口側連結部１２の口径をボール５０の直径よりも小さく絞り込む円環板３０と、エルボ部１６の内部における排水側連結部１４側に設けられ、ボール５０の移動を規制する柵４０とを備える。【選択図】図１
2012077568.tif 000002
【特許請求の範囲】
【請求項１】
排水を流入させる入口部、当該入口部から流入した排水を排出する排水部、及び前記入口部と前記排水部の間にエルボ部を有し、前記入口部を上方に向けて配設されるエルボ管と、
前記エルボ管の内部に配置される軟質の球体と、
前記入口部に設けられ、前記入口部の口径を前記球体の直径よりも小さく絞り込む円環部と、
前記エルボ部の内部における前記排水部側に設けられ、前記球体の移動を規制する規制部材とを備えたことを特徴とする逆流防止機能付き排水装置。
【請求項２】
前記円環部を内部に有し、かつ下端部を前記入口部に連結し、上端部側から前記円環部を介して排水を前記入口部に流入させる円筒体を有することを特徴とする請求項１記載の逆流防止機能付き排水装置。
【請求項３】
前記円筒体は、前記円環部の位置を前記円筒体の軸方向に可変させる伸縮部を有することを特徴とする請求項２記載の逆流防止機能付き排水装置。
【請求項４】
前記伸縮部は、前記円環部と前記円筒体の下端部との間に形成された蛇腹であることを特徴とする請求項３記載の逆流防止機能付き排水装置。
【請求項５】
前記円環部の内径は、前記球体の直径の１／２以上３／４以下であることを特徴とする請求項１乃至４のいずれか１項記載の逆流防止機能付き排水装置。
【発明の詳細な説明】
【技術分野】
【０００１】
本発明は、逆流防止機能付き排水装置に関する。
【背景技術】
【０００２】
従来、浄化槽や排水処理装置からの排水は、排水枡を介して所定の場所に設けられた排水口から排出される。しかしながら、排水枡から下流側の水位が変動し、排水先の水面が排水口よりも高くなった場合には、排水が排水枡に逆流し、浄化槽や排水処理装置に排水が戻ってしまうおそれがある。
【０００３】
そこで、従来、特許文献１に記載された技術が提案されている。特許文献１によれば、排水枡内における排水管の下方に浮子を配設し、満水時には、浮子が上方に移動して排水管の先端部を閉塞し、満水時以外は浮子が下方に位置して排水管を開放することにより、排水が排水管を逆流することを防止する排水逆流防止装置が提案されている。
【先行技術文献】
【特許文献】
【０００４】
【特許文献１】実開平６−６７５８８号公報
【発明の概要】
【発明が解決しようとする課題】
【０００５】
しかしながら、特許文献１の排水逆流防止装置によれば、排水管の下方に浮子を配置するため、排水管の開口を下方にする必要があることから、排水管にエルボを取り付けて、排水管の開口を下方に向けている。そして、下方を向いているエルボの開口の下方に浮子を配置することになる。この場合、エルボの開口を視認することが困難な状態で浮子の取付作業を行う必要があり、浮子の取付作業が困難になる。
【０００６】
また、特許文献１の排水逆流防止装置によれば、排水枡内の水位が、エルボの下端の開口の位置まで達すると浮子がエルボの開口を塞ぐようになる。このため、排水逆流防止機能が働く水位がエルボの開口の位置までとなり、排水枡内においてエルボの開口の位置よりも上方に、排水逆流防止機能が働く水位を設定することができない。
【０００７】
本発明は、このような問題点を解決し、取り付けが簡単でしかも安価な逆流防止機能付き排水装置を提供することを目的とする。
【課題を解決するための手段】
【０００８】
本発明は、前記目的を達成するため、次に記載する構成を備えている。
【０００９】
（１）  排水を流入させる入口部、当該入口部から流入した排水を排出する排水部、及び前記入口部と前記排水部の間にエルボ部を有し、前記入口部を上方に向けて配設されるエルボ管と、前記エルボ管の内部に配置される軟質の球体と、前記入口部に設けられ、前記入口部の口径を前記球体の直径よりも小さく絞り込む円環部と、前記エルボ部の内部における前記排水部側に設けられ、前記球体の移動を規制する規制部材とを備えたことを特徴とする逆流防止機能付き排水装置。
【００１０】
（１）によれば、エルボ管に排水が流れている状態では、入口部から流入した排水は、円環部を介してエルボ部に流入し、排水部から排出される。この時、排水の流れに沿って球体が移動し、規制部材によって球体の移動が規制されようになる。また、排水部側の水位が高くなって、エルボ部内を排水が逆流した場合には、球体が上方に移動して円環部の開口を閉鎖する。これにより、排水が入口部から外部に放出されることが防止できる。また、既存の排水管に、内部に球体を収納したエルボ部及び規制部材（例えば、棒材）を有するエルボ管を配設させるという、簡単な作業で取り付けを行うことができる。また、エルボ管内を排水が逆流した場合に、エルボ部が球体を円環部に導くガイド部材として機能するため、新たなガイド部材を設ける必要がなく、この分、低コスト化を図ることができる。また、円環部の位置を変えることにより、球体が上方に移動して円環部の開口を閉鎖させる排水逆流防止機能が働く水位を変えることが可能になる。
【００１１】
（２）  （１）において、前記円環部を内部に有し、かつ下端部を前記入口部に連結し、上端部側から前記円環部を介して排水を前記入口部に流入させる円筒体を有することを特徴とする逆流防止機能付き排水装置。
【００１２】
（２）によれば、円筒体の長さを可変にすることによって、円筒体に水が流入可能となる水位を変えることが可能となる。また、円筒体における円環部の位置を変えることにより、球体が上方に移動して円環部の開口を閉鎖させる排水逆流防止機能が働く水位を変えることが可能になる。
【００１３】
（３）  （２）において、前記円筒体は、前記円環部の位置を前記円筒体の軸方向に可変させる伸縮部を有することを特徴とする逆流防止機能付き排水装置。
【００１４】
（３）によれば、円筒体を伸縮させることにより、円筒体に水が流入可能となる水位、及び円環部の位置を変えることが可能になる。
【００１５】
（４）  （３）において、前記伸縮部は、前記円環部と前記円筒体の下端部との間に形成された蛇腹であることを特徴とする逆流防止機能付き排水装置。
【００１６】
（４）によれば、蛇腹を伸縮させることにより、円筒体に水が流入可能となる水位、及び円環部の位置を変えることが可能になる。
【００１７】
（５）  （１）〜（４）において、前記円環部の内径は、前記球体の直径の１／２以上３／４以下であることを特徴とする逆流防止機能付き排水装置。
【００１８】
（５）によれば、円環部の内径が、円筒体に流入した水を通過させてエルボ管に送ることが可能な程度の大きさであるため、円環部が排水の障害となることが防止できる。さらに、エルボ管内を排水が逆流した場合に、円環部の開口に球体を適合させることができるとともに、エルボ管内の逆流が収まった場合に、円環部の開口から球体を離間させることが可能になる。
【発明の効果】
【００１９】
本発明によれば、取り付けが簡単でしかも安価な逆流防止機能付き排水装置を提供することができる。
【図面の簡単な説明】
【００２０】
【図１】本発明の一実施形態における逆流防止機能付き排水装置の構成を示す側面図である。
【図２】本発明の一実施形態における逆流防止機能付き排水装置に係る円筒管の構造を示す図である。
【図３】本発明の一実施形態における逆流防止機能付き排水装置に係る他の円筒管の構造を示す図である。
【発明を実施するための形態】
【００２１】
以下、本発明の一実施形態について、図面を参照しながら詳細に説明する。
【００２２】
図１は、本発明の一実施形態における逆流防止機能付き排水装置の構成を示す側面図である。逆流防止機能付き排水装置１は、エルボ管１０と、円筒管２０と、円環部に相当する円環板３０と、規制部材に相当する柵４０と、球体に相当するボール５０とを備えている。
【００２３】
エルボ管１０は、入口部に相当する入口側連結部１２と、排水部に相当する排水側連結部１４と、エルボ部１６とから構成されている。エルボ部１６は、略Ｌ字型の円管部材からなり、エルボ部１６の一端部には円筒管２０に連結する入口側連結部１２が形成されており、他端部には既存の排水管１００の端部に連結する排水側連結部１４が形成されている。入口側連結部１２の内部は、奥側の径が小径となる段状に形成されており、開口側の内径は、円筒管２０の外径程度に設定されている。排水側連結部１４の内部は、奥側の径が小径となる段状に形成されており、開口側の内径は、排水管１００の外径程度に設定されている。エルボ管１０における排水側連結部１４に対して排水方向上流側の近傍には、柵４０が設置されている。さらに、エルボ管１０内には、ボール５０が収納されている。
【００２４】
柵４０は、複数の棒状部材からなり、ボール５０の排水管１００側への移動を規制するものである。ここで、エルボ管１０を通過する排水は、柵４０を通過して排水管１００側に移動する。また、ボール５０は、軟質でかつ水に浮く部材によって構成されている。例えば、内部に空気が注入されたゴムボールが適用可能である。そして、エルボ管１０を排水管１００の端部に連結する際には、入口側連結部１２を上方に向けた状態で、排水側連結部１４に排水管１００の端部を嵌入させる。
【００２５】
円筒管２０は、下端部が入口側連結部１２に接続される円筒部材であり、円筒管２０の下端部が入口側連結部１２内に嵌入された場合には、円筒管２０の上端部が上方向を向くように、入口側連結部１２に対して立設した状態となる。
【００２６】
この円筒管２０における、入口側連結部１２との連結部分に対して直上の側面部分には、蛇腹部２２が形成されている。さらに、円筒管２０の内部おける蛇腹部２２が直上の部位には、円環板３０が固定されている。また、円筒管２０の側面における円環板３０の上部には、複数の排水穴２４が形成されている。
【００２７】
ここで、排水穴２４の位置は、入口側連結部１２に円筒管２０を接続した際に、図１（ａ）に示すように、予め設定した排水水位Ａに位置するように設定されている。これにより、円筒管２０の周囲の水位が排水水位Ａを越えた場合に、円筒管２０の周囲の水が、排水穴２４に流入するようになる。また、図２（ａ）及び図２（ｂ）に示すように、円筒管２０は、蛇腹部２２を伸縮させることによって、円筒管２０の軸方向の長さを可変させることが可能である。これにより、排水穴２４の位置は、蛇腹部２２を伸縮させることによって上下方向の位置を調整することが可能である。例えば、図２（ｂ）に示すように、蛇腹部２２を伸長させることにより、排水水位を上方に設定することが可能になる。
【００２８】
円環板３０は、中央に円型の孔部３０ａを有する円板体からなり、この孔部３０ａの内径は、ボール５０の直径の１／２以上３／４以下に設定されている。このため、ボール５０の上方への移動は、円環板３０によって規制される。また、円環板３０は、入口側連結部１２の上方に配置されているため、入口側連結部１２の口径は、孔部３０ａによってボール５０の直径よりも絞り込まれる。しかし、ボール５０の直径の１／２以上の口径が確保されているため、円環板３０が、排水穴２４から流入した水がエルボ管１０に流下する際の障害になることはない。
【００２９】
このように構成された排水装置１によれば、例えば、大雨により、円筒管２０付近の水位が高くなり、水位が排水穴２４まで到達すると、円筒管２０付近の水が、排水穴２４に流入し、円環板３０の孔部３０ａを介して、エルボ管１０に送られる。そして、エルボ管１０によって水流の方向が水平方向に変えられ、排水管１００を通って、排水口１０２から排水枡１１０に排出される。この時、エルボ管１０の内部においては、ボール５０が水流によって排水管１００側に移動し、図１（ａ）に示すように、柵４０に当接する。排水枡１１０内の水は、例えば、処理場、河川、あるいは海洋等に送られる。なお、円筒管２０からの水が、主に雨水である場合には、排水管１００から、排水枡１１０を介さずに、直接、河川、あるいは海洋等に排水してもよい。
【００３０】
ところで、図１（ａ）に示すように、排水枡１１０における水位Ｂが、排水口１０２よりも低い場合には、円筒管２０に流入した水が、エルボ管１０及び排水管１００を介して排水口１０２から排水枡１１０に排出される。しかし、図１（ｂ）に示すように、排水枡１１０における水位Ｂが、排水口１０２よりも高くなり、しかも、円環板３０の位置よりも高くなった場合には、排水枡１１０内の水が、排水口１０２に流入し、排水管１００からエルボ管１０及び円筒管２０に向かって逆流する。このとき、ボール５０は逆流した水によって押し上げられ、円環板３０の孔部３０ａにボール５０が適合する。さらに、逆流の上方向への水圧により、円環板３０の孔部３０ａがボール５０によって閉塞された状態が維持される。これにより、排水枡１１０から排水管１００及びエルボ管１０を逆流した水が、円筒管２０から外部に流出することが防止できる。
【００３１】
なお、排水枡１１０における水位が、円環板３０よりも高い状態から低い状態に変わった場合、すなわち逆流が収まった場合には、エルボ管１０内の水位が下がることにより、円環板３０の孔部３０ａからボール５０が離間するようになり、孔部３０ａは開放される。これにより、円筒管２０に流入した水が、エルボ管１０内に流れ込むようになる。
【００３２】
以上、説明したように本実施形態によれば、円筒管２０の排水穴２４から流入した水は、円環板３０及び入口側連結部１２を介してエルボ部１６に流入する。この時、水がエルボ部１６を流れて排水管１００に送られるとともに、この水の流れによってボール５０が排水管１００側に移動するが、柵４０によってボール５０の移動が規制される。また、排水側連結部１４側の水位が高くなって、エルボ部１６内を排水が逆流した場合には、ボール５０が上方に移動して円環板３０の孔部３０ａを閉鎖する。これにより、逆流した排水が入口側連結部１２あるいは円筒管２０から外部に放出されることが防止できる。また、既存の排水管１００に、内部にボール５０を収納したエルボ部１６及び柵４０を有するエルボ管１０を配設させるという、簡単な作業で取り付けを行うことができる。また、エルボ管１０内を排水が逆流した場合に、エルボ部１６がボール５０を円環板３０に導くガイド部材として機能するため、新たなガイド部材を設ける必要がなく、この分、低コスト化を図ることができる。また、円環板３０の位置を変えることにより、ボール５０が上方に移動して円環板３０の孔部３０ａを閉鎖させる排水逆流防止機能が働く水位を変えることが可能になる。
【００３３】
また本実施形態によれば、蛇腹部２２を伸縮させて円筒管２０の長さを可変にすることによって、円筒管２０に水が流入可能となる水位を変えることが可能となる。また、円筒管２０における円環板３０の位置を変えることにより、ボール５０が上方に移動して円環板３０の孔部３０ａを閉鎖させる排水逆流防止機能が働く水位を変えることが可能になる。
【００３４】
また本実施形態によれば、円筒管２０は、円環板３０の位置を円筒管２０の軸方向に可変させる蛇腹部２２を有しており、円筒管２０を伸縮させることにより、円筒管２０に水が流入可能となる水位、あるいは円環板３０の位置を変えることが可能になる。
【００３５】
また本実施形態によれば、円環板３０の内径は、ボール５０の直径の１／２以上３／４以下であり、円環板３０の内径が、円筒管２０に流入した水を通過させてエルボ管１０に送ることが可能な程度の大きさであるため、円環板３０が排水の障害となることが防止できる。さらに、エルボ管１０内を排水が逆流した場合に、円環板３０にボール５０を適合させることができるとともに、エルボ管１０内の逆流が収まった場合に、円環板３０からボール５０を離間させることが可能になる。
【００３６】
また本実施形態によれば、円筒管２０を外すことにより、ボール５０が凹んでいるか否か、破裂しているか否かといったボール５０の状態を容易に確認することができる。ボール５０に異常が見られる場合には、ボール５０の交換が容易に可能になる。
【００３７】
以上、本発明の実施形態について説明したが、本発明の実施形態は、上述した実施形態に限るものではない。例えば、上述した実施形態においては、円筒管２０を、蛇腹部２２を設けることによって伸縮させているが、円筒管２０を伸縮させるものであれば、蛇腹部２２を設けることに限るものではない。例えば、図３に示すように、円筒管２０の下端部に、円筒管２０と同軸の円筒体２６を設け、円筒管２０に対して円筒体２６をスライド移動させることによって、円筒管２０を伸縮させるように構成してもよい。
【００３８】
具体的には、図３（ｂ）に示すように、円筒体２６には、コ字状の長穴２６ａが形成されている。そして、円筒管２０に円筒体２６を取り付けた後に、図３（ａ）に示すように、長穴２６ａに遊嵌させて、ねじ頭が円筒管２０から若干突出するように、ねじ２８を円筒管２０に固定する。これにより、ねじ２８が長穴２６ａに係合するようになり、円筒管２０に円筒体２６がスライド移動可能な状態で保持される。
【００３９】
円筒管２０を短くする場合には、図３（ｂ）に示すように、コ字状の長穴２６ａにおける下方の水平穴にねじ２８を係合させ、この状態で、円筒体２６とともに円筒管２０をエルボ管１０（図１参照）に連結させる。円筒管２０を短くした状態から長くする場合には、図３（ｂ）に示す状態において、円筒体２６を回転させてコ字状の長穴２６ａにおける下方の水平穴とねじ２８との係合を解除させ、さらに、ねじ２８が、コ字状の長穴２６ａの直線穴に沿って移動するように、円筒体２６を下方にスライド移動させる。そして、図３（ｃ）に示すように、円筒体２６を回転させてコ字状の長穴２６ａにおける上方の水平穴とねじ２８とを係合させることにより、円筒管２０を長くした状態で維持される。なお、図３に示す伸縮構造では、１段階の伸縮のみであるが、多段階の伸縮が可能な構造にしてもよい。この場合、例えば、コ字状の長穴２６ａにおいて、直線穴から水平方向に延びる水平穴の数を複数にすることにより、多段階の伸縮が可能な構造になる。また、円筒管２０と円筒体２６との境目は、例えば、金属テープを貼着して封止しておくことが望ましい。
【００４０】
また、上述した実施形態においては、円環板３０を、円筒管２０を介してエルボ管１０に設けているが、それに限らず、入口側連結部１２に円環板３０を直接取り付けてもよい。例えば、円環板３０を、入口側連結部１２の開口を覆う蓋体として構成して、入口側連結部１２の上から被せるように取り付け、さらに、必要に応じて、円筒管２０と取り付けるようにしてもよい。また、エルボ管１０を排水管１００に連結した際に、エルボ部１６において上方に延びる部分の内部に、円環板３０を、取り付けるようにしてもよい。
【００４１】
また、上述した実施形態においては、円環板３０は、中央に孔部３０ａが形成されたリング状の平板によって構成されているが、この円環板３０の上面及び下面の少なくともいずれかの面を凹状に形成してもよい。円環板３０の上面を凹状にした場合には、円筒管２０に流入した円環板３０上の水を、孔部３０ａに向けて流下させることが可能になる。円環板３０の下面を凹状にした場合には、エルボ管１０内を排水が逆流した場合に、ボール５０が孔部３０ａに向かって移動するように、円環板３０の下面にボール５０をガイドさせることが可能になる。円環板３０の上面及び下面を凹状にした場合には、円環板３０上の水を、孔部３０ａに向けて流下させる機能、及びボール５０をガイドさせる機能を円環板３０に持たせることが可能になる。なお、円環板３０の下面を凹状にする場合には、例えば、孔部３０ａに向かって傾斜するテーパ部を有する板材を複数立設させることにより、円環板３０の下面にボール５０をガイドさせる機能を持たせてもよい。
【符号の説明】
【００４２】
１  排水装置
１０  エルボ管
１２  入口側連結部
１４  排水側連結部
１６  エルボ部
２０  円筒管
２２  蛇腹部
２４  排水穴
２６  円筒体
２６ａ  長穴
２８  ねじ
３０  円環板
３０ａ  孔部
４０  柵
５０  ボール
１００  排水管
１０２  排水口
１１０  排水枡
【図１】
2012077568.tif 000003
【図２】
2012077568.tif 000004
【図３】
2012077568.tif 000005